(57)【要約】【課題】端子部近傍での液晶セルの破損を防止できる液晶表示装置を提供する。【解決手段】四角形状の液晶セル２の端子部25と対向するフレーム４の短辺部42に対して直交する方向に形成した長辺部44，45にて、端子部25以外の位置に対応する部分に複数のスリット部48を設ける。外部から加わった応力をフレーム４のスリット部48での変形により分散し、端子部25への応力の集中を防止して端子部25近傍での液晶セルの破損を防止できる。【選択図】図１
2008083494.tif 000002
【特許請求の範囲】
【請求項１】
互いに対向して配置された一対の基板間に液晶層を介在して形成され、一方の基板が他方の基板よりも一側に突出した端子部を備えた液晶表示素子と、
この液晶表示素子を照明する光源部と、
前記液晶表示素子と前記光源部とを保持する額縁状の樹脂製のフレームとを具備し、
前記フレームは、
前記端子部と対向する辺部と、
この辺部に対して交差する方向に形成された交差辺部と、
これら交差辺部にて前記液晶表示素子の端子部以外の位置に対応する部分に設けられたスリット部とを備えている
ことを特徴とした液晶表示装置。
【請求項２】
前記フレームの外側部および底部を覆う金属製の筐体を具備し、
前記筐体は、前記交差辺部に対向する位置に設けられ、これら交差辺部よりも高さ寸法が小さい側壁部を備えている
ことを特徴とした請求項１記載の液晶表示装置。
【請求項３】
前記フレームの外側部および底部を覆う金属製の筐体を具備し、
前記筐体は、
前記交差辺部に対向する位置に設けられた側壁部と、
この側壁部にて前記フレームのスリット部に対応する位置に設けられた筐体スリット部とを備えている
ことを特徴とした請求項１記載の液晶表示装置。
【発明の詳細な説明】
【技術分野】
【０００１】
本発明は、一方の基板が他方の基板よりも一側に突出した端子部を備えた液晶表示素子を備えた液晶表示装置に関する。
【背景技術】
【０００２】
従来、この種の液晶表示装置としては、それぞれ四角形状のアレイ基板と対向基板とを対向配置し、これら基板間に液晶層を介在した液晶表示素子としての液晶セルの背面に、光源部としてのバックライトを配設し、これら液晶セルとバックライトとを、四角形額縁状のフレームに収容したものが知られている。
【０００３】
このような液晶表示装置では、外部からの信号を入力する端子群を設けるために、アレイ基板を対向基板よりも面積を広く取って長手方向の一端部に端子部を形成し、この端子部には、液晶セルの表示領域へと電源および信号などを供給する外部の回路基板などと電気的に接続されるフレキシブル基板（ＦＰＣ）などが電気的および物理的に接続されている。そして、このフレキシブル基板の先端部は、フレームの短辺部に設けられた切欠部から、フレームの外部へと導出されている（例えば、特許文献１参照。）。
【特許文献１】特開２００３−６６４１８号公報
【発明の開示】
【発明が解決しようとする課題】
【０００４】
液晶セルにおいて、端子部がアレイ基板１枚で形成されているから、アレイ基板と対向基板との２枚で構成された表示領域よりも強度が小さく、液晶表示装置に対して厚さ方向の押圧力などの外力が加わった際などに、厚みが変化する端子部と表示領域との境界近傍に応力が集中しやすくなる。
【０００５】
また、フレームの切欠部は、外部から応力が加わった際に大きな変形が生じやすい
このため、液晶セルの端子部と、フレームの切欠部とを近接して配置する上述の液晶表示装置では、外部から応力が加わった際に、強度が弱い端子部近傍で大きな変位が発生しやすく、ガラス基板の割れが集中して発生しやすいという問題点を有している。
【０００６】
特に、近年、液晶セルは薄型化が望まれているため、アレイ基板の厚みはますます薄くなってきており、端子部近傍の強度は低下してきている。
【０００７】
本発明は、このような点に鑑みなされたもので、端子部近傍での液晶表示素子の破損を防止できる液晶表示装置を提供することを目的とする。
【課題を解決するための手段】
【０００８】
本発明は、互いに対向して配置された一対の基板間に液晶層を介在して形成され、一方の基板が他方の基板よりも一側に突出した端子部を備えた液晶表示素子と、この液晶表示素子を照明する光源部と、前記液晶表示素子と前記光源部とを保持する額縁状の樹脂製のフレームとを具備し、前記フレームは、前記端子部と対向する辺部と、この辺部に対して交差する方向に形成された交差辺部と、これら交差辺部にて前記液晶表示素子の端子部以外の位置に対応する部分に設けられたスリット部とを備えているものである。
【０００９】
そして、液晶表示素子の端子部と対向するフレームの辺部に対して交差する方向に形成した交差辺部にて、端子部以外の位置に対応する部分にスリット部を設ける。
【発明の効果】
【００１０】
本発明によれば、外部から加わった応力をフレームのスリット部での変形により分散し、端子部への応力の集中を防止して端子部近傍での液晶表示素子の破損を防止できる。
【発明を実施するための最良の形態】
【００１１】
以下、本発明の第１の実施の形態の液晶表示装置の構成を図１ないし図３を参照して説明する。
【００１２】
図１ないし図３において、１は液晶表示装置を示し、この液晶表示装置１は、アクティブマトリクス型の液晶表示素子としての液晶セル２と、この液晶セル２の背面に配置された光源部としての面状光源装置であるバックライトユニット３と、これら液晶セル２とバックライトユニット３とを収容する額縁状のフレーム４と、このフレーム４の外側部および底部を覆う筐体としてのベゼル５とを有し、例えば携帯電話などに用いられるものである。
【００１３】
液晶セル２は、基板としての四角形状のアレイ基板21と、基板としての四角形状の対向基板22とを互いに対向配置し、これら基板21，22間に図示しない液晶層を介在することで形成され、図示しない複数の画素がマトリクス状に配設された表示領域24と、非表示領域である端子部25とを備えている。
【００１４】
アレイ基板21は、透光性基板としての絶縁基板であるガラス基板上に、表示領域24に対応する部分にて、画素を駆動する図示しないスイッチング素子としての薄膜トランジスタ（ＴＦＴ）がマトリクス状に配設され、これら薄膜トランジスタに信号を伝送する図示しない走査線および信号線が格子状に配設されて構成され、対向基板22と略等しい幅寸法および対向基板22よりも若干長い長手寸法を有している。そして、アレイ基板21は、対向基板22との長手方向の寸法差分、長手方向の一端部が対向基板22に対して突出しており、この突出部が端子部25となっている。
【００１５】
対向基板22は、アレイ基板21と同様に、透光性基板としての絶縁基板であるガラス基板上に、表示領域24に対応する部分にて、図示しないカラーフィルタと対向電極とが積層されている。
【００１６】
そして、これら基板21，22は、図示しないスペーサにより間隔が保持され、液晶層の周囲をシール剤によりシールすることで互いに貼り合わせられている。
【００１７】
端子部25には、走査線および信号線への信号を入力するための図示しない端子群が設けられ、これら端子群には、接続基板としてのフレキシブル基板（ＦＰＣ）27が電気的および物理的に接続されている。
【００１８】
ここで、フレキシブル基板27は、アレイ基板21の端子部25の一主面上に先端部が接続され、他端側が図示しない外部回路に電気的に接続されている。また、このフレキシブル基板27は、端子部25に対して表示領域24と反対側、すなわち、端子部25の突出先端側から突出している。
【００１９】
また、バックライトユニット３は、図示しない光源と導光体としての導光板とを備え、光源から照射された光を導光板により平面状に拡散して液晶セル２に背面から照明するように構成されている。
【００２０】
フレーム４は、四角形状の底板41と、この底板41の長手方向の両端部から垂直に立ち上がる辺部としての短辺部42および短辺部43と、底板41の幅方向の両側部から垂直に立ち上がる交差辺部としての長辺部44，45とを、合成樹脂により一体に形成した合成樹脂フレームである。
【００２１】
底板41は、液晶セル２の外形寸法と略等しい四角形状に形成されている。
【００２２】
短辺部42は、底板41の長手方向の一端部に位置し、フレーム４に収容された液晶２の端子部25に対向している。また、この短辺部42は、セル幅方向の中央部に、フレキシブル基板27が液晶表示装置１の外部へと導出される配線引き出し部としての切欠部47が上端部から短辺部42の高さ寸法の約半分程度の位置まで、フレキシブル基板27の幅寸法よりも大きい幅寸法で切り欠き形成されている。したがって、この切欠部47は、端子部25の先端近傍に位置している。
【００２３】
短辺部43は、短辺部42と同様の厚みおよび高さ寸法に形成され、この短辺部42と対向する底板41の長手方向の他端部に位置している。
【００２４】
長辺部44，45は、短辺部42，43と交差、本実施の形態では直交する方向に沿って、例えば全長５０ｍｍ程度、かつ、短辺部42，43と同様の厚みおよび高さ寸法に形成されている。また、これら長辺部44，45は、長手方向において、液晶セル２の端子部と対応しない位置、換言すれば、液晶セル２の端子部以外の位置、より詳細には、アレイ基板21と対向基板22とが互いに平行に対向して位置している表示領域24の両側方に対応して、凹部である複数のスリット部48が形成されている。これらスリット部48は、長辺部44の幅方向内側から外側へと連通するように、長辺部44の上端部からこの長辺部44の高さ寸法の約半分程度の位置まで、長手方向に略等間隔に、例えば１〜２ｍｍ程度の間隔に、全長４０ｍｍ程度に亘って切り欠き形成されている。したがって、各スリット部48，48間には、リブ部49がそれぞれ形成されている。
【００２５】
そして、通常、短辺部42，43および長辺部44，45の底板41からの突出寸法は、液晶セル２の高さ寸法とバックライトユニットの高さ寸法との和と略等しく形成され、フレーム４に液晶セル２とバックライトユニット３とを収容した状態で、液晶セル２の対向基板22の上面側が、フレーム４の上端部と略面一となっている。
【００２６】
また、ベゼル５は、四角形状のベゼル底板51と、このベゼル底板51の長手方向の両端部から垂直に立ち上がる端壁部52，53と、ベゼル底板51の幅方向の両側部から垂直に立ち上がる側壁部54，55とを、金属により一体に形成したものである。
【００２７】
ベゼル底板51は、平面視でフレーム４の外形と略等しい大きさの四角形状に形成されている。
【００２８】
端壁部52は、ベゼル底板51の長手方向の一端部に位置し、ベゼル底板51からの突出量である上方向突出量が、フレーム４の高さ寸法、すなわち短辺部42，43および長辺部44，45の高さ寸法よりも小さい、例えば約半分程度に設定されている。また、端壁部52の幅方向の中央部には、切欠部47に対応して切り欠き形成された筐体切欠部としてのベゼル切欠部57が上端部から端壁部52の最下部近傍まで、切欠部47と同様の幅寸法で切り欠き形成されている。したがって、このベゼル切欠部57は、端子部25の先端近傍に位置している。
【００２９】
端壁部53は、端壁部52と同様の高さ寸法に形成され、この端壁部52と対向するベゼル底板51の長手方向の他端部に位置している。
【００３０】
側壁部54，55は、端壁部52，53と同様の高さ寸法に形成されている。したがって、これら側壁部54，55は、フレーム４をベゼル５に収容した状態で、上端部がスリット部48の下端部近傍に位置し、これらスリット部48を覆わないように構成されている。
【００３１】
ここで、側壁部54，55の高さ寸法は、長辺部44，45の高さ寸法より小さく設定されていれば、その高さ寸法は任意に設定できるが、スリット部48を覆わないように設定することが好ましい。
【００３２】
次に、上記第１の実施の形態の作用を説明する。
【００３３】
まず、液晶表示装置１を組み立てる際には、フレーム４にバックライトユニット３と液晶セル２とを順次重ねて収容する。
【００３４】
このとき、液晶セル２の端子部25に実装されたフレキシブル基板27を、切欠部47からフレーム４の外方へと突出させる。
【００３５】
そして、これらバックライトユニット３と液晶セル２とを収容したフレーム４に、ベゼル５を取り付け、液晶表示装置１を完成する。
【００３６】
この液晶表示装置１に対して、図３に示すように、上方から押圧する応力Ｆが加わった際には、各スリット部48の上端側の幅寸法が下端側の幅寸法に対して小さくなるようにフレーム４が弧状に変形することで、応力Ｆを各スリット部48での変形による幅寸法の変化により吸収および分散し、この応力Ｆが端子部25と表示領域24との境界近傍に集中することを防止する。
【００３７】
この結果、応力Ｆの集中により端子部25近傍にてアレイ基板21が割れて液晶セル２が破損することを防止できる。
【００３８】
すなわち、液晶セル２は、端子部25においてアレイ基板21の１枚のみで形成されているので、アレイ基板21と対向基板22との２枚で形成されている表示領域24側と比較して端子部25側の強度が小さくなるから、応力Ｆが加わった際に、液晶セル２の厚みが変化する端子部25と表示領域24側との境界部に応力Ｆが集中して局所的な変形が生じ、アレイ基板21が割れやすくなるのに対して、端子部25が対向する短辺部42に交差する長辺部44，45に対してスリット部48を設けることで、液晶セル２の表示領域24側に、短辺部42に平行な向きに変形が生じ、かつ、液晶表示装置１全体が滑らかに変形することで応力Ｆを吸収できるため、端子部25に平行な応力、あるいは、端子部25を横断する方向の応力の集中が起こりにくくなるので、アレイ基板21の割れが発生しにくくなる。
【００３９】
また、ベゼル５の側壁部54，55の高さ寸法を、フレーム４の長辺部44，45の高さ寸法よりも小さく設定することで、応力Ｆが加わった際に側壁部54，55が変形しやすくなるので、端子部25への応力の集中を分散させ、液晶セル２の端子部25近傍での破損を、より確実に防止できる。
【００４０】
しかも、側壁部54，55の高さ寸法を、スリット部48を覆わないように設定することで、スリット部48の変形を側壁部54，55が阻害することがなく、スリット部48の変形による応力Ｆの分散効果を最大限に得ることができる。
【００４１】
特に、アレイ基板21および対向基板22を、より薄型化する場合には、端子部25の強度はより低く、かつ、液晶セル２全体の変位耐性は強くなるため、割れ特性に関して、より大きな効果が期待される。
【００４２】
そして、スリット部48を、長辺部44，45の上端部に形成することにより、一般に上側（表側）から応力Ｆが加えられることが多い液晶表示装置１において、スリット部48がより有効に作用する。
【００４３】
次に、第２の実施の形態を図４を参照して説明する。なお、上記第１の実施の形態と同様の構成および作用については、同一符号を付してその説明を省略する。
【００４４】
この第２の実施の形態は、上記第１の実施の形態において、ベゼル５の端壁部52，53および側壁部54，55の高さ寸法が、フレーム４の短辺部42，43および長辺部44，45の高さ寸法と略等しく形成され、かつ、側壁部54，55に筐体スリット部としての複数のベゼルスリット部58が形成されているものである。
【００４５】
ここで、各ベゼルスリット部58は、各スリット部48に対応する位置、すなわち液晶セル２の端子部25以外の位置である表示領域24、詳細にはアレイ基板21と対向基板22とが互いに平行に対向して位置している表示領域24の両側方に対応して、各スリット部48の幅と略等しい幅に形成され、かつ、各スリット部48の間隔と略等しい間隔に離間されている。
【００４６】
したがって、各スリット部48と各ベゼルスリット部58とにより、連通し、各ベゼルスリット部58間には、各リブ部49に対応する筐体リブ部としてのベゼルリブ部59が形成されている。
【００４７】
そして、フレーム４の長辺部44，45にスリット部48を設けるなど、上記第１の実施の形態と同様の構成を有することにより、上記第１の実施の形態と同様の作用効果を奏することができるとともに、ベゼル５の側壁部54，55に、スリット部48に対応する位置にベゼルスリット部58を設けることで、応力Ｆが加わった際に側壁部54，55が変形しやすくなるので、端子部25への応力の集中を分散させ、液晶セル２の端子部25近傍での破損を、より確実に防止できる。
【００４８】
なお、上記各実施の形態において、ベゼル５を使用しない液晶表示装置１であっても、スリット部48を適用できる。
【００４９】
また、スリット部48およびベゼルスリット部58の個数および間隔などは、任意に設定できる。
【００５０】
さらに、スリット部48およびベゼルスリット部58の位置は、長辺部44，45および側壁部54，55の上端部以外でも、これら長辺部44，45および側壁部54，55の下端部などに形成してもよい。
【図面の簡単な説明】
【００５１】
【図１】本発明の第１の実施の形態の液晶表示装置を示す分解斜視図である。
【図２】同上液晶表示装置を示す斜視図である。
【図３】同上液晶表示装置の変形状態を示す側面図である。
【図４】本発明の第２の実施の形態の液晶表示装置を示す斜視図である。
【符号の説明】
【００５２】
１    液晶表示装置
２    液晶表示素子としての液晶セル
３    光源部としてのバックライトユニット
４    フレーム
５    筐体としてのベゼル
21    基板としてのアレイ基板
22    基板としての対向基板
25    端子部
42    辺部としての短辺部
44，45    交差辺部としての長辺部
48    スリット部
54，55    側壁部
58    筐体スリット部としてのベゼルスリット部
【図１】
2008083494.tif 000003
【図２】
2008083494.tif 000004
【図３】
2008083494.tif 000005
【図４】
2008083494.tif 000006